(57)【要約】【課題】  通電状態の省エネルギーモードへの移行時に機内温度の上昇を避けるための構成が、低コストかつ簡単となる電力消費ユニットを実現する。【解決手段】  デジタル複写機１において、コントローラ部３のＣＰＵ３ａは、通常動作モードから省エネルギーモードへの移行時に、ファン３ｅを一定時間だけ駆動させてから停止させるように制御を行う。【選択図】  図１
2007080977.tif 000002
【特許請求の範囲】
【請求項１】
外部の電源から電力供給を受けて動作し、定格消費電力までの電力消費が許容されるとともに動作指示を待ち受ける待機状態を有する通常動作モードと、通電状態にありながら上記待機状態よりも低消費電力となる省エネルギーモードとの切り替えが行われる電力消費ユニットであって、
上記電力消費ユニットを冷却する冷却ファンと、上記冷却ファンの駆動を制御する冷却ファン制御手段とを備え、
上記冷却ファン制御手段は、上記電力消費ユニットが上記通常動作モードから上記省エネルギーモードへの移行を開始した後、上記冷却ファンを一定時間だけ駆動させてから停止させるように制御することを特徴とする電力消費ユニット。
【請求項２】
上記一定時間は、上記電力消費ユニットが使用される最も蓄熱量の大きい状態における上記通常動作モードから、上記省エネルギーモードへの移行に必要な冷却時間として予め求められた値であることを特徴とする請求項１に記載の電力消費ユニット。
【請求項３】
請求項１または２に記載の電力消費ユニットを備えており、上記通常動作モードおよび上記省エネルギーモードが、それぞれ装置全体としてのモードとなることを特徴とする画像を処理する装置。
【請求項４】
上記一定時間は、上記画像を処理する装置が使用を想定されている環境の範囲内で、上記電力消費ユニットが最も蓄熱量の大きい状態における上記通常動作モードから、上記省エネルギーモードへの移行に必要な冷却時間として予め求められた値であることを特徴とする請求項３に記載の画像を処理する装置。
【請求項５】
上記通常動作モードから上記省エネルギーモードへの移行開始から移行完了までの移行状況または移行残り時間を表示する表示手段を備えていることを特徴とする請求項３に記載の画像を処理する装置。
【発明の詳細な説明】
【技術分野】
【０００１】
本発明は、電力を消費するユニットに関し、特に、画像を処理する装置において省エネルギーモードへ移行する際のコントローラの温度上昇対策に関する。
【背景技術】
【０００２】
ＭＦＰ(Multi Function Printer,Multi Function Peripheral)などの、画像を処理する装置は、消費電力を抑えるために、装置を使用していない時に消費電力を低減する省エネルギーモードを備える。これらは、通常段階的な省エネルギーモードを備え、ＭＦＰの各ユニットの電源を遮断する、あるいは、各ユニットの消費電力を低減させる省エネルギーモードにする機構を備える。省エネルギーモードは、通常動作モードと区別されており、本明細書では、通常動作モードでは通常の動作を行う状態の他に、動作指示を待ち受ける待機状態をも含むものとする。待機状態は、動作指示を受けると即座に動作を行うことのできるスタンバイ状態であり、動作状態よりも低消費電力である。省エネルギーモードでは、この通常動作モードの待機状態よりもさらに低消費電力となる。
【０００３】
省エネルギーモードを備える画像を処理する装置として、例えば、スキャナユニットおよびエンジンユニットへの電源供給を遮断し、ネットワークなどの外部インターフェースをもつコントローラ部および電源制御部の消費電力を低減させた省エネルギーモードに移行させるものがある。
【０００４】
各ユニットには、その発熱が大きい場合には、発熱量に見合った冷却ファンなどが装着される。省エネルギーモードでありながら、ユニットへの電源供給を遮断せず、ユニットが通電状態にある場合でも、発熱量が少なければ、冷却ファンの駆動が必要ないことがある。このような場合であっても、通常動作モードから省エネルギーモードへ移行するときに、即座にファンの駆動を停止させると、一時的にユニットの機内温度が上昇したり、温度の下降に長時間要したりして、ユニットの消費電力が期待するほど低減されなかったり、ユニットが誤動作する原因となりうる。
【０００５】
そのため、温度センサ等をユニット内に設け、温度をモニタして、機内が一定温度以下になるまで冷却ファンを駆動させたり、通常動作状態におけるユニットの稼動量を計測して、計測した稼働量に応じた時間だけ冷却ファンを駆動させたりするなどの手法がある。（例えば特許文献１および２参照）
【特許文献１】特開２００４−１６３６２８号公報（２００４（平成１６）年６月１０日公開）
【特許文献２】特開平１１−１８４３５４号公報（１９９９（平成１１）年７月９日公開）
【発明の開示】
【発明が解決しようとする課題】
【０００６】
しかしながら、上記従来の方法では、通常動作モードから省エネルギーモードへの移行に際して適切な冷却を行うために、温度センサや温度判定部、あるいは、ユニットの稼動量を計測する手段が必要になる。従って、装置のコストが上昇したり、装置が複雑になったりするという問題が生じる。
【０００７】
本発明は、上記従来の問題点に鑑みなされたものであり、その目的は、通電状態の省エネルギーモードへの移行時に機内温度の上昇を避けるための構成が、低コストかつ簡単となる電力消費ユニット、および、それを備えた画像を処理する装置を実現することにある。
【課題を解決するための手段】
【０００８】
本発明の電力消費ユニットは、上記課題を解決するために、外部の電源から電力供給を受けて動作し、定格消費電力までの電力消費が許容されるとともに動作指示を待ち受ける待機状態を有する通常動作モードと、通電状態にありながら上記待機状態よりも低消費電力となる省エネルギーモードとの切り替えが行われる電力消費ユニットであって、上記電力消費ユニットを冷却する冷却ファンと、上記冷却ファンの駆動を制御する冷却ファン制御手段とを備え、上記冷却ファン制御手段は、上記電力消費ユニットが上記通常動作モードから上記省エネルギーモードへの移行を開始した後、上記冷却ファンを一定時間だけ駆動させてから停止させるように制御することを特徴としている。
【０００９】
上記の発明によれば、冷却ファン制御手段は、電力消費ユニットが通常動作モードから省エネルギーモードへの移行を開始した後、冷却ファンを一定時間だけ駆動させてから停止させるように制御するので、冷却ファンの駆動の仕方を電力消費ユニットのそのときの状態に応じて変える必要がない。電力消費ユニットの状態を検出する必要がなければ、温度センサや温度判定部、あるいは、発熱量を推定するための電力消費ユニットの稼動量を計測する手段が不要となる。
【００１０】
以上により、通電状態の省エネルギーモードへの移行時に機内温度の上昇を避けるための構成が、低コストかつ簡単となる電力消費ユニットを実現することができるという効果を奏する。
【００１１】
本発明の電力消費ユニットは、上記課題を解決するために、上記一定時間は、上記電力消費ユニットが使用される最も蓄熱量の大きい状態における上記通常動作モードから、上記省エネルギーモードへの移行に必要な冷却時間として予め求められた値であることを特徴としている。
【００１２】
上記の発明によれば、通常動作モードから省エネルギーモードへの移行時に、最も蓄熱量の大きい状態の電力消費ユニットに対しても、必要な冷却が達成されるため、電力消費ユニットの熱環境がいかなるものであっても、冷却ファンの同じ駆動で、電力消費ユニットを許容温度にまで冷却することができるという効果を奏する。
【００１３】
本発明の画像を処理する装置は、上記課題を解決するために、上記電力消費ユニットを備えており、上記通常動作モードおよび上記省エネルギーモードが、それぞれ装置全体としてのモードとなることを特徴としている。
【００１４】
上記の発明によれば、画像を処理する装置全体の通常動作モードから省エネルギーモードへの移行時間が、電力消費ユニットの通常動作モードから省エネルギーモードへの移行時間と同じ一定時間となるので、装置のユーザが移行時間のばらつきに対して不安を感じるようなことがなくなるという効果を奏する。
【００１５】
本発明の画像を処理する装置は、上記課題を解決するために、上記一定時間は、上記画像を処理する装置が使用を想定されている環境の範囲内で、上記電力消費ユニットが最も蓄熱量の大きい状態における上記通常動作モードから、上記省エネルギーモードへの移行に必要な冷却時間として予め求められた値であることを特徴としている。
【００１６】
上記の発明によれば、通常動作モードから省エネルギーモードへの移行時に、画像を処理する装置が使用を想定されている環境の範囲内で最も蓄熱量の大きい状態の電力消費ユニットに対しても、必要な冷却が達成されるため、電力消費ユニットの熱環境がいかなるものであっても、冷却ファンの同じ駆動で、電力消費ユニットを許容温度にまで冷却することができるという効果を奏する。
【００１７】
本発明の画像を処理する装置は、上記課題を解決するために、上記通常動作モードから上記省エネルギーモードへの移行開始から移行完了までの移行状況または移行残り時間を表示する表示手段を備えていることを特徴としている。
【００１８】
上記の発明によれば、ユーザが通常動作モードから省エネルギーモードへ移行していることや移行残り時間を認識することができるという効果を奏する。また、移行時間が一定であるので、移行についてのユーザへの通知内容を容易に決定することができ、移行内容を表示するという重要機能の追加を、装置構成の簡略化の思想に沿ったまま達成することができるという効果を奏する。
【発明の効果】
【００１９】
本発明の電力消費ユニットは、以上のように、通常動作モードと省エネルギーモードとの切り替えが行われる電力消費ユニットであって、冷却ファンと冷却ファン制御手段とを備え、上記冷却ファン制御手段は、上記電力消費ユニットが上記通常動作モードから上記省エネルギーモードへの移行を開始した後、上記冷却ファンを一定時間だけ駆動させてから停止させるように制御する。
【００２０】
これにより、通電状態の省エネルギーモードへの移行時に機内温度の上昇を避けるための構成が、低コストかつ簡単となる電力消費ユニットを実現することができるという効果を奏する。
【発明を実施するための最良の形態】
【００２１】
本発明の実施の形態について、図１ないし図３を用いて説明すれば以下の通りである。
【００２２】
図１に、本実施の形態に係る画像を処理する装置の例としてデジタル複写機１の構成を示す。
【００２３】
デジタル複写機１は、スキャナ部２、コントローラ部３、エンジン部４、表示操作部５、および、電源部６を備えている。
【００２４】
スキャナ部２は、例えばＣＣＤラインセンサと撮像光学系とを原稿に対して走査して、原稿画像を光学的に読み取って電気信号に変換し画像データとする。
【００２５】
コントローラ部（電力消費ユニット）３は、図１に示すようにＣＰＵ（冷却ファン制御手段）３ａ、ＲＯＭ３ｂやＲＡＭ３ｃ等のメモリ、ＩＯ制御部３ｄ等のＬＳＩ・ＩＣ、および、個別電子部品などを含む回路基板で構成された、電源部６から供給される電力を消費するユニットである。コントローラ部３は、メモリ上に記憶されたプログラムをＣＰＵ３ａが実行し、あるいはＬＳＩに組み込まれたロジックに従って、画像データに対して画像処理を行う画像処理装置であるが、デジタル複写機１全体の制御を行うメインボード部でもある。
【００２６】
画像処理としては、スキャナ部２で読み取った画像データに対して、回転、拡大縮小、複数ページの画像を１枚に集約するＮ−ｕｐ、読み取った画像の種類や後述のエンジン部４の特性に合わせた画像処理等を行う。また、不図示の画像データ記憶装置へ画像データの記憶および呼び出しを行ってもよいし、その際に記憶容量を節約するために圧縮伸張処理を行うようにしてもよい。また、ＬＡＮやＵＳＢあるいは電話回線など外部と通信するためのインターフェースを設けて、外部と画像データを遣り取りできるようにして、いわゆるプリンタ機能、ファクシミリ機能、スキャナ機能を備える複合機（ＭＦＰ）としてもよい。
【００２７】
コントローラ部３は、通常動作モードと省エネルギーモードとが切り替わるようになっており、これをコントローラ部３が自ら制御している。通常動作モードは、定格消費電力までの電力消費は許容されるモードであり、背景技術で定義した待機状態をも含んでいる。省エネルギーモードは、通電状態にありながら上記待機状態よりも低消費電力となるモードであり、例えばコントローラ部３において一部の回路への電力供給が遮断される状態である。省エネルギーモードでは一部の通電が制限されるのみであり、通常動作モードへの復帰を監視する回路などは動作させる必要がある。
【００２８】
前記ＣＰＵ３ａはメインＣＰＵとサブＣＰＵとを有しており、メインＣＰＵは通常動作モードの大半の制御を行い、サブＣＰＵは通常動作モードおよび省エネルギーモードで各種制御を行う。通常動作モードでは、画像データを処理中であるか待機中であるかによって多少の違いはあるものの、これらの電子部品は電力を消費し、その結果常に発熱している。コントローラ部３は、この発熱による温度上昇を抑えるため、ファン（冷却ファン）３ｅを備えて送風し、電子部品を冷却している。このファン３ｅの駆動についても、ＩＯ制御部３ｄを介してメインＣＰＵが回転・停止を制御している。一方、省エネルギーモードにおける制御については、省エネルギーモードへの移行開始時から、サブＣＰＵがファン３ｅの駆動の制御を含む各種制御を実行する。サブＣＰＵの代わりに、別途、制御用マイクロコンピュータを設けてもよい。
【００２９】
また、ＣＰＵ３ａは、コントローラ部３以外の部分についても、通常動作モードであるのか省エネルギーモードであるのかに応じて、通電の制御を行っており、この制御信号を電源部６に出力するようになっている。すなわち、デジタル複写機１では、コントローラ部３の通常動作モードおよび省エネルギーモードが、それぞれ装置全体のモードにもなる。
【００３０】
なお、上記コントローラ部３などのユニットは、各パーツが回路基板上に組み立てられたアセンブリ体を単位とするユニットであってもよいし、パーツ群の周囲が筐体で囲まれてなるユニットであってもよいし、上記アセンブリ体が筐体で囲まれてなるユニットであってもよい。
【００３１】
エンジン部４は、コントローラ部３で処理された画像データに基づいて、電子写真やインクジェットなどの画像形成手段によって、所定のシートに画像を形成する。
【００３２】
表示操作部５は、タッチパネル付のＬＣＤやキー・ボタン、ＬＥＤなどで構成され、上記の各部による複写動作に対して、処理条件の設定や処理開始の指示などのユーザからの入力を受け、設定条件や処理状況などを表示する。
【００３３】
電源部（外部の電源）６は、商用交流電源を入力として、上述した各部に所定の電力を供給する。電源装置の形態は特に問わないが、デジタル複写機１の場合には、スイッチング電源装置などの直流電源装置や、ヒータランプ通電用の、変圧器を用いた交流電源装置などを含んでいる。コントローラ部３のデジタル信号処理系統には直流電源装置から電源を供給する。また、後述するファン３ｅの電源には、例えば駆動モータがＤＣブラシレスモータであれば直流電源装置を用いる。また、インバータ回路を搭載する場合には、インバータ回路は直流電源装置と組み合わされる。
【００３４】
この電源部６は、コントローラ部３から制御信号として省エネルギーモードに移行する信号を受けた場合は、スキャナ部２やエンジン部４への電力供給を停止し、コントローラ部３や表示操作部５への電力供給を制限する。コントローラ部３から制御信号として通常モードに復帰する信号を受けた場合は、各部への電力供給を再開する。
【００３５】
次に、図２に表示操作部５のレイアウトの例を示す。
【００３６】
表示操作部５は、タッチパネル付ＬＣＤ５ａ、スタートボタン５ｂ、省エネボタン５ｃ、および、ＬＥＤ群５ｄを備えている。タッチパネル付ＬＣＤ５ａは、装置の状態を示したり、ユーザからの、画像の処理の種類や出力条件などの入力を受け付けたりするＬＣＤパネルである。スタートボタン５ｂは、コピー動作やその他の処理の開始を指示するためのボタンである。省エネボタン５ｃは、強制的に省エネルギーモードへ移行すること、および、省エネルギーモードからの復帰を指示するためのボタンである。ＬＥＤ群５ｄは、現在のモードが通常動作モードであるのか、省エネルギーモードであるのか、通常動作モードから省エネルギーモードへの移行中であるのかを示すものである。同図ではＬＥＤ群５ｄは一列に並んだＬＥＤ５ｅ・５ｆ・５ｇ・５ｈを備えている。ＬＥＤ５ｅは点灯することにより現在のモードが通常動作モードであることを示すＬＥＤであり、ＬＥＤ５ｆ・５ｇは順次点灯することにより通常動作モードから省エネルギーモードへ移行していることを示すＬＥＤであり、ＬＥＤ５ｈは点灯することにより現在のモードが省エネルギーモードであることを示すＬＥＤである。
【００３７】
上記タッチパネル付ＬＣＤ５ａやＬＥＤ５ｆ・５ｇは、通常動作モードから省エネルギーモードへの移行開始から移行完了までの移行状況または移行残り時間を表示することのできる表示手段である。
【００３８】
このような構成のデジタル複写機１において、省エネルギーモードでは、コントローラ部３のＣＰＵ３ａは、省エネボタン５ｃの操作、ユーザの操作を検知する一部のセンサの信号、通信インターフェースへの受信などを監視しており、コントローラ部３に対しては、復帰のトリガがかかった場合にコントローラ部３全体を起動させる一部の電子部品を除く、他の部分に通電しないようにするので、発熱はほとんどなくなる。従って、省エネルギーモードの定常状態では、コントローラ部３を冷却する必要がなく、ファン３ｅも停止させる。
【００３９】
しかしながら、省エネルギーモードへの移行と同時にファン３ｅを停止すると、直前までの電力消費に伴う発熱が冷却できず、温度が上昇してしまう。これを防ぐために、本実施の形態では、コントローラ部３の使用される可能性のある最高周囲温度と、装置が取り得る動作状況とに基づいて、コントローラ部３を最も蓄熱量の大きい状態からでも許容温度にまで冷却できるファン３ｅの動作時間を求めておき、省エネルギーモード移行開始後に必ずこの一定時間だけファン３ｅを動作させてからファン３ｅを停止させるようにする。すなわち、上記一定時間は、デジタル複写機１が使用を想定されている環境の範囲内で、コントローラ部３が最も蓄熱量の大きい状態における通常動作モードから、省エネルギーモードへの移行に必要な冷却時間として予め求められた値である。
【００４０】
例えばこの一定時間を次のようにして決定する。デジタル複写機１を通常動作モードにおいて、定格電力あるいはそれに近い消費電力で所定時間だけ連続稼働させて、コントローラ部３の蓄熱の飽和状態を生成することにより、コントローラ部３の最も蓄熱量の大きい状態を実現しておく。このとき、コントローラ部３の周囲温度は、その測定箇所での最高温度を示す。この状態から、省エネボタン５ｃを押して省エネルギーモードへ移行させ、所定の温度にまで冷却するのに要するファン３ｅの動作時間を調べ、この動作時間を上記一定時間とする。
【００４１】
次に、コントローラ部３における省エネルギーモードへの移行の処理の流れを、図３のフローチャートに示す。
【００４２】
まず、省エネボタン５ｃが押されたり、一定時間処理がない状態が継続したりして、省エネルギーモードへ移行する条件が整うと、このことをＣＰＵ３ａが認識して、省エネルギーモードへの移行処理がスタートする。
【００４３】
ステップＳ１では省エネルギーモードへの移行開始処理を行う。このとき、ＣＰＵ３ａは、通常動作モードの状況を不図示のＥＥＰＲＯＭ等へ退避し、通常動作のみに使用するメインＣＰＵや大部分のメモリやＬＳＩなどへの通電を止めて、復帰トリガの監視と復帰処理とを行うサブＣＰＵあるいは制御用マイクロコンピュータ等へ制御を移す。また、ＣＰＵ３ａは、エンジン部４が備える定着装置のヒータランプなどの、コントローラ部３以外の省エネルギーが必要な部分の通電も止める。
【００４４】
ステップＳ２では、ファン３ｅを動作させる一定時間をカウントするためのタイマをセットする。タイマには、ＣＰＵ３ａに内蔵のものを用いてもよいし、別途設けたタイマＩＣを用いてもよい。
【００４５】
ステップＳ３では、もし、ファン３ｅが停止していればファン３ｅを動作させる。ファン３ｅが動作していれば、そのまま動作を継続する。
【００４６】
ステップＳ４では復帰トリガが有るか否かを判断し、監視しているいずれかの復帰トリガが入ってくれば、ステップＳ９へ進んで通常動作モードへの復帰処理を行い、通常動作モードへ移行して処理を終わる。
【００４７】
ステップＳ４で復帰トリガがない場合には、ステップＳ５へ進んで省エネルギーモードへの移行経過処理を行う。この処理においては、タイマの時間経過を調べ、図２の省エネルギーモード移行時に用いるＬＥＤ５ｆ・５ｇの点灯を制御する。あるいは、省エネルギーモードへの移行が完了するまでの残り時間を、タッチパネル付ＬＣＤ５ａに表示するようにする。
【００４８】
ステップＳ５に続くステップＳ６では、タイマがタイムアップしたか否かを判断する。タイムアップした場合には、省エネルギーモードへの移行開始からファン３ｅを動作させる一定時間が経過したこととなるので、ステップＳ７へ進んでファン３ｅを停止させる。タイムアップしないうちは、ステップＳ４からのループを繰り返す。
【００４９】
なお、ここでは、ステップＳ４の復帰トリガ有無の判断も、ステップＳ６のタイムアップ判断も、逐次チェックする行程として記載しているが、これに限らず、これらのステップを、割り込みを使って分岐するように設けてもよい。
【００５０】
ステップＳ７でファン３ｅが停止すると、ステップＳ８で省エネルギーモードへの移行が完了する。このとき、図２の省エネルギーモード時に用いるＬＥＤ５ｈの点灯を制御する。タッチパネル付ＬＣＤ５ａによる表示を行っていた場合は、バックライトを消灯する。以後、復帰トリガを待ち受けるだけの状態になる。
【００５１】
以上に、省エネルギーモードへの移行処理をサブＣＰＵや制御用マイクロコンピュータで制御する例を説明したが、移行経過の表示などを行わないのであれば、単に省エネルギーモードへの移行開始時にタイマをセットして一定時間ファンを動作させるようにしてもよい。
【００５２】
このように、本実施の形態によれば、モード移行時におけるファン３ｅの駆動の仕方をコントローラ部３のそのときの状態に応じて変える必要がない。コントローラ部３の状態を検出する必要がなければ、温度センサや温度判定部、あるいは、発熱量を推定するためのコントローラ部３の稼動量を計測する手段が不要となる。
【００５３】
以上により、通電状態の省エネルギーモードへの移行時に機内温度の上昇を避けるための構成が、低コストかつ簡単となる電力消費ユニットを実現することができる。
【００５４】
また、モード移行時にファン３ｅを駆動する一定時間は、コントローラ部３が使用される最も蓄熱量の大きい状態における通常動作モードから、省エネルギーモードへの移行に必要な冷却時間として予め求められた値である。従って、モード移行時に、最も蓄熱量の大きい状態のコントローラ部３に対しても、必要な冷却が達成されるため、コントローラ部３の熱環境がいかなるものであっても、ファン３ｅの同じ駆動で、コントローラ部３を許容温度にまで冷却することができる。
【００５５】
また、コントローラ部３を備えるデジタル複写機１において、装置全体の通常動作モードから省エネルギーモードへの移行時間が、コントローラ部３の通常動作モードから省エネルギーモードへの移行時間と同じ一定時間となるので、デジタル複写機１のユーザが従来のように移行時間のばらつきに対して不安を感じるようなことがない。
【００５６】
また、デジタル複写機１は、タッチパネル付ＬＣＤ５ａやＬＥＤ５ｆ・５ｇを備えているので、ユーザが通常動作モードから省エネルギーモードへ移行していることや移行残り時間を認識することができる。また、移行時間が一定であるので、デジタル複写機１では、移行についてのユーザへの通知内容を容易に決定することができ、移行内容を表示するという重要機能の追加を、装置構成の簡略化の思想に沿ったまま達成することができる。
【００５７】
なお、本実施の形態では、コントローラ部３のように、電力消費ユニット自体が通常動作モードと省エネルギーモードとの切り替えを制御するものについて説明したが、電力消費ユニットは、このようなモードの切り替えを外部から制御されるものであってもよい。
【００５８】
また、本実施の形態では、画像を処理する装置としてデジタル複写機を例に挙げたが、この他に、スキャナ部、コントロール部（電力消費ユニット）、表示操作部、および、電源部などからなるスキャナ装置や、コントロール部（電力消費ユニット）、エンジン部、表示操作部、および、電源部などからなるプリンタや、図１の構成を応用したファクシミリ装置などでもよい。これらの装置は、コントロール部が画像処理装置となっているが、この他、電力消費ユニットが画像処理装置であるか否かに関わらず、装置のいずれかの部分で画像の読み込み、画像形成、画像処理、およびファクシミリ動作などを行うことで少なくとも画像を処理し、かつ、省エネルギーモードを有するものも、画像を処理する装置として挙げられる。
【００５９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６０】
本発明は、複合機、複写機、プリンタ、ファクシミリ装置、および、スキャナ装置に好適に使用することができる。
【図面の簡単な説明】
【００６１】
【図１】本発明の実施形態を示すものであり、デジタル複写機の要部構成を示すブロック図である。
【図２】図１のデジタル複写機が備える表示操作部の構成を示す平面図である。
【図３】図１のデジタル複写機におけるモード移行時の動作を示すフローチャートである。
【符号の説明】
【００６２】
１          デジタル複写機（画像を処理する装置）
３          コントローラ部（電力消費ユニット）
３ａ        ＣＰＵ（冷却ファン制御手段）
３ｅ        ファン（冷却ファン）
５          表示操作部
５ａ        タッチパネル付ＬＣＤ（表示手段）
５ｆ、５ｇ  ＬＥＤ（表示手段）
６          電源部（外部の電源）
【図１】
2007080977.tif 000003
【図２】
2007080977.tif 000004
【図３】
2007080977.tif 000005